(57)【要約】【課題】充分なかかり代を確保して、ＰＣ梁等にデッキプレートを架設し、床周辺で良質のコンクリート躯体を構築し、また、コンクリート工事の安全性を高める。【解決手段】鋼板を屈曲して、長さＬ０、幅Ｄ０のデッキプレートの本体１を形成し、長さ方向に沿って、上方に凸形状のリブ４、４を形成する。長さ方向の両端部で、リブ４、４間に、端縁３から長さＬ１の台形の切欠き１０、１０を形成し、切欠き１０はリブ４、４の間に形成し、デッキプレート１５とする。デッキプレート１５は、例えばＰＣ梁間に架設して使用する。この際、端縁３側で、切欠き１０を含む長さＬ１３（＝Ｌ１＋Ｌ１４）のかかり代２０が、ＰＣ梁の端部の上面に係止載置される。【選択図】図１
2006083601.tif 000002
【特許請求の範囲】
【請求項１】
コンクリート打設用型枠又は既製梁などの梁部材間に架設して、使用する床型枠用のプレートにおいて、
前記プレートは、端部に、コンクリート打設用型枠又は既製梁などの梁部材に係止載置できる係止部を有し、該係止部に開口を形成したことを特徴とするデッキプレート。
【請求項２】
既製梁に係止載置できる係止部を有し、前記係止部の開口は、デッキプレートの先端側からの切欠きにより構成し、前記開口の基端側は、前記既製梁の上面に位置するように形成したことを特徴とする請求項１記載のデッキプレート。
【発明の詳細な説明】
【技術分野】
【０００１】
この発明は、コンクリート系構造物で床型枠として使用されるデッキプレートに関する。
【背景技術】
【０００２】
(1) 鉄筋コンクリート構造物、鉄骨鉄筋コンクリート構造物では、床型枠としてデッキプレート３０が使用されていた。デッキプレート３０は、梁用の型枠（長さＬ１２。通常、内側のベニヤ板３４と補強用の桟木３５とから構成される）１７の縁に、デッキプレート３０の端部を載置していた。この場合、デッキプレート３０の長さ方向で、打設した後、型枠を取り外すので、型枠１７上に１０ｍｍ以内をのみ込ませておかなければ、デッキプレート３０が落下するおそれがあった。これを防止するため、デッキプレート３０の端縁を型枠１７の内面１７ａ側に、「のみ込み代１９」と称する必要長さＬ１１だけ突出させて、充分なかかり代３１（Ｌ１３）を確保していた（図４（ａ）。非特許文献１）。
【０００３】
(2) また、デッキプレート３０を鉄骨梁２１の上面２２に架設する場合には、デッキプレート３０の端縁側にかかり代３１（長さＬ１２＝３０ｍｍ以上）を確保して、デッキプレート３０と鉄骨梁２１とを溶接して（溶接点３３）同様に、デッキプレート３０がずれた場合の対処をとっていた（図４（ｂ））。同様に、地中梁２３（図４（ｃ））、ＰＣ梁２５（図４（ｄ）参照）の場合にも、かかり代３１（長さＬ１３＝３０ｍｍ程度）を確保していた。また、この場合、ずれ止めとして、継ぎ鉄筋（幅６００ｍｍ程度毎に）３２を固定する場合もあった（図４（ｃ）（ｄ））。しかし、コンクリートへの、のみ込み幅は１０ｍｍが限度であるため、コンクリートの増し打ち２３ａ、２５ａをする必要があった。
【０００４】
(3) また、薄い鋼板からなる型枠（梁型枠）では、型枠の上縁に横方向外側に向けたデッキ受け１２等も形成していた（特許文献１）。
【特許文献１】特開平７−５４４５１号
【非特許文献１】床型枠用鋼製デッキプレート設計施工指針・同解説、社団法人公共建築協会編集、平成７年７月１日、４０頁、４６頁
【発明の開示】
【発明が解決しようとする課題】
【０００５】
(1) 梁用の型枠１７にデッキプレート３０を架設する場合、デッキプレート３０の端縁に、のみ込み代１９として、通常Ｌ１１（＝１０ｍｍ程度）突出させていた（図４（ａ））。また、従来のデッキプレート３０の厚さは通常０．８〜１．６ｍｍ程度である。コンクリートが固化発現した場合、厚さとのみ込み代１９の分だけ、デッキプレート３０の幅方向に、梁とスラブの部分に断面欠損が生じる問題点があった。更に、コンクリートの充填が悪い場合には、のみ込み代１９の下方にも断面欠損が生じるおそれがあった。
【０００６】
(2) また、鉄骨梁２１、地中梁２３、ＰＣ梁２５、鉄板型枠では、必要な“かかり代３１”を確保できれば、鉄骨梁２１、地中梁２３、ＰＣ梁２５、鉄板型枠などは打設されるコンクリートとの接触面積をできるだけ増やした方が望ましかったが、かかり代３１の分だけ、接触面積の減少が避けられなかった。
【課題を解決するための手段】
【０００７】
然るにこの発明では、デッキプレートの端部の係止部に開口を形成したので、前記問題点を解決した。
【０００８】
即ちこの発明は、コンクリート打設用型枠又は既製梁などの梁部材間に架設して、使用する床型枠用のプレートにおいて、前記プレートは、端部に、コンクリート打設用型枠又は既製梁などの梁部材に係止載置できる係止部を有し、該係止部に開口を形成したことを特徴とするデッキプレートである。また、前記において、既製梁に係止載置できる係止部を有し、前記係止部の開口は、デッキプレートの先端側からの切欠きにより構成し、前記開口の基端側は、前記既製梁の上面に位置するように形成したことを特徴とするデッキプレートである。
【０００９】
前記デッキプレートは、梁型枠など型枠、梁などの躯体への「かかり代」を有すれば、その形状は任意であり、フラットなプレートに、必要ならば床配筋のスペーサーを兼用するトラス類を固定して構成することもできる。
【００１０】
また、前記における既製梁とは、ＰＣ梁、鉄骨梁等の「現場で設置された梁」、鉄筋コンクリート製の地中梁等の「現場で打設された梁」等を指す。
【発明の効果】
【００１１】
デッキプレートの端縁に開口を形成したので、鉄骨梁、地中梁、ＰＣ梁に架設して使用しても、充分なかかり代を確保しても、コンクリートがＰＣ梁などと接触する面積を増加させることができ、床周辺で良質のコンクリート躯体を構築できる効果がある。また、充分なかかり代を確保できるので、コンクリート工事の安全性を高めることができる効果がある。
【００１２】
また、開口を通してコンクリートが上下に流通するので、型枠にデッキプレートを係止した場合であっても、充分なのみ込み代を取ってもコンクリートに断面欠損が生じ難いので、床周辺で良質のコンクリート躯体を構築できる効果がある。
【発明を実施するための最良の形態】
【００１３】
［１］デッキプレート１５の構成
【００１４】
鋼板を屈曲して、
長さＬ０  Ｌ０＝３０００ｍｍ
幅Ｄ０    Ｄ０＝４００ｍｍ〜６００ｍｍ
のデッキプレートの本体１を形成する（図１（ａ）（ｂ））。本体１は、長さ方向の端縁２、２、幅方向の端縁３、３を有し、長さ方向に沿って、上方に凸形状のリブ４、４を４本形成し、端縁２、２に、長さ方向全長に、係止部、係止受け部を夫々形成してある。リブは、概ね１００ｍｍ間隔で形成し、幅方向の長さ調節のため、多少間隔を調節してある。また、リブ４は、上に凸の溝状の凹部と、凹部の頂点に、トラス溶接用の突条５を形成してある（図１（ａ）（ｂ））。
【００１５】
長さ方向の両端部に、端縁３から長さＬ１の台形（台形の高さがＬ１）の切欠き１０、１０を形成する。ここで、Ｌ１は、
Ｌ１＝１０〜３０ｍｍ
とし、切欠き１０は、基端１１側を狭く先端側を広く形成し、また、切欠き１０はリブ４、４の間に形成する。
【００１６】
切欠き１０を含む端縁３側を、長さＬ１３のかかり代２０とする。Ｌ１３は、端縁３から、載置予定のＰＣ梁２６の側面２６ａの位置（上面の縁）までの距離である。
【００１７】
以上のようにして、デッキプレート１５を構成する（図１）。尚、デッキプレート１５は、上面にトラスを配置して、トラスの下面をリブ４の突条５に載置して、該部で溶接して、トラス付きで構成されている（図示していない）。
【００１８】
［２］デッキプレート１５の使用
【００１９】
(1) このデッキプレート１５は、通常のデッキプレート１５と同様に使用する。
【００２０】
例えば、既設のＰＣ梁２５、２５間に、デッキプレート１５を架設して、使用する。この際、デッキプレート１５の端縁部の、かかり代２０は、ＰＣ梁２５の上面２６上に載置され、切欠き１０の基端１１とＰＣ梁２５の側面２６ａ（上面の縁）とは所定距離Ｌ１４（Ｌ１４＝１ｃｍ程度）空けられる。（図１、図３）。即ち、切欠き１０の基端１１（縁）は、ＰＣ梁２５の上面（厚さ内）２６位置し、
Ｌ１３＝Ｌ１＋Ｌ１４
となっている（図１（ａ）、図３、）。
【００２１】
続いて、必要な型枠・鉄筋を構築した後、デッキプレート１５上をはじめＰＣ梁２５、２５の上にコンクリート２８を打設し（図３、図４（ａ）参照）、梁と一体のコンクリート製の床を構築する。
【００２２】
従って、増し打ち２５ａ（図３鎖線図示）をすることなく、デッキプレートの脱落を防止できるだけの充分なかかり代Ｌ１３を確保できる。更に、切欠き１０があるので、ＰＣ梁２５の上面２６とコンクリート２８との接触面積を確保し、かつ鉄筋２７、２７に充分なコンクリートのかぶり厚を確保することができ、強固な床を構築することができると共に、逆に、従来同程度の強度を確保する場合には、かかり代の長さを減らすこともできるうる。
【００２３】
(2) デッキプレート１５は、従来同様に、鉄骨梁２１の上面２２、地中梁（コンクリート製で現場造成）２３の上面２４、コンクリート梁成形用の型枠１７の上面１８に架設して使用することもできる（図４（ａ）〜（ｃ）参照）。型枠１７に適用する場合には、かかり代２０で、デッキプレート１５の端縁３側がのみ込み代１９を構成する。
【００２４】
デッキプレート１５を地中梁２３に、架設して使用する場合にも、同様に、地中梁２３に梁幅の増し打ち２３ａが不要であるので、通常仕様のままで、地中梁２３にデッキプレート１５を使用でき、設計変更の手間を省くことができる。
【００２５】
［３］他の態様
【００２６】
(1) 前記実施態様において、切欠き１０の形状は、平面台形状（図２（ａ）、図１（ａ））、平面半楕円状（図２（ｂ））、平面三角形状（図２（ｃ））など任意である。
【００２７】
(2) また、前記実施態様において、開口を切欠き１０から構成したが、端縁３を残して、中間部に孔状の開口を形成することもできる（図示していない）。
【図面の簡単な説明】
【００２８】
【図１】この発明のデッキプレートで、（ａ）は一部平面図、（ｂ）は正面図である。
【図２】（ａ）〜（ｂ）は、この発明の他の実施例の開口を表す一部平面図である。
【図３】この発明の実施例の斜視図である。
【図４】この発明の従来例で、デッキプレートの端縁と梁などとの架設係止を表す概略した正面図である。
【符号の説明】
【００２９】
１    デッキプレートの本体
２    端縁（幅方向）
３    端縁（長さ方向）
４    リブ
７    係止部
８    係止受け部
１０  切り欠き
１１  切り欠きの基端
１５  デッキプレート
１７  型枠
１７ａ  型枠の内縁
１７ｂ  型枠の外縁
１８  型枠の上面
１９  のみ込み代
２０  かかり代
２１  鉄骨梁
２２  鉄骨梁の上面
２３  地中梁
２３ａ  地中梁の増し打ち部分
２４  地中梁の上面
２５  ＰＣ梁
２５ａ  ＰＣ梁の増し打ち部分
２６  ＰＣ梁の上面
２８  コンクリート
３０  デッキプレート（従来例）
３１  かかり代
【図１】
2006083601.tif 000003
【図２】
2006083601.tif 000004
【図３】
2006083601.tif 000005
【図４】
2006083601.tif 000006